(57)【要約】      （修正有）【課題】東日本大震災の津波被害により、塩水をかぶり多大に発生した木造住宅の柱等の木質ガレキの有効処分が可能な、木材の防腐効果による耐用年数を高めた木製ブロックを提供する。【解決手段】梁使用ブロックに欠き込みホゾ３を形成し、欠き込みホゾ３に宇都宮市産の大谷石キリコに木酢、たけ酢およびセメントを混入した大谷石キリコ入り半硬化モルタル５からなる半固形木材腐食防止剤を充填して内蔵させて、半固形木材腐食防止剤の酸性成分による殺菌作用を利用して木材の防腐効果を得るとともに、その上にモルタル６を載せ、仕上げとしてモザイク１１を張ることで、耐用年数を高めた木製ブロックを構成する。【選択図】図４
2013011115.tif 000002
【特許請求の範囲】
【請求項１】
大谷石キリコに木酢、たけ酢を混入し、半固形木材腐食防止剤を作り、木材内部に半固形木材防腐材を内蔵した木材。
【請求項２】
歩行表面の一部又は全部にモザイクが張られた木製、又は煉瓦製舗道ブロック。
【請求項３】
大谷石キリコを木材腐食防止剤として使用した木製ブロック舗装目地。
【発明の詳細な説明】
【技術分野】
【０００１】
塩水をかぶり水分を含む木材を焼却処分すると希塩酸ガスが発生する、塩分を含み焼却処理の出来ない木質住宅廃材を含む材料を使い、障害者福祉作業所で製作する木質廃材再利用の舗装用ブロック及びモザイク張りレンガ。
【背景技術】
【０００２】
下記発明は障害者の自立とまち作り参加の促進を目的に作られた，エコでアートなモザイク屋外使用の舗装材をより広範囲にひろげ、障害者の能力の開発、技術の認知、健常者との共生を目指す。
【先行技術文献】
【特許文献】
【０００３】
【特許文献１】特許第４１３８９７８号  表面仕上げ材及びその目地
【発明の概要】
【発明が解決しようとする課題】
【０００４】
前記従来のものは、南方の沈木材、樫など堅木に防腐薬剤を注入したものであった、腐食を避けられない針葉樹の耐用年数５年くらいと短期である。東関東大震災で大量に発生した、住宅等使用の塩分付着針葉樹木材の処理技術を開発、塩分の含有、断面サイズに関係なく出来るだけ手をかけず、再使用可能な物とする。
【課題を解決するための手段】
【０００５】
平成２３年３月１１日の東日本大震災で津波により住宅などの木材が大量にがれきとなり其の処分が大きな問題となる。塩水に浸かった木材は焼却すれば希塩酸ガスを発生するため問題をさらに複雑にしている。
当発明は災害地で処分できない木材を煉瓦状に加工し、景観舗装材として舗道、公園、駅前ひろば、商店街、特に自然の特質と軟らかさを生かし子ども達の遊ぶ幼稚園、老人施設の歩道等で使用し、焼却をさけ、有益なエコ商品を作る。
木製の舗装の屋外使用は、腐食が激しくそれを避ける為、是まで堅木に防腐剤の注入、塗布などを施す、しかし堅木などは高価で耐用年数が短い事から十分普及されていない。
杉、檜などの一般住宅で使用されている木材の腐食防止材として凝灰岩の大谷石キリコを使用、大谷石は天然ゼオライトでもあり酸性、強い殺菌力をもつ事は周知の事実であるが、是まで景観木材の防腐に使われたことは無い。
木材にホゾを入れるような欠き込みを作り、その中にセメント少しとキリコを骨材とし、製作は同じく福祉作業所でよく作られている竹酢、木酢を水に混入し、混あわせたモルタルで透水性、半硬化の状態を作り、その上に表面を固く硬化するモルタル又はモザイクでホゾの穴部分に蓋をし、上からの圧力、人の歩行に耐えるものとする。キリコを内蔵した木材は雨を受けるたび、防腐成分が半固形の大谷石キリコより溶け出す、木質は防腐液を雨水と共に吸い込み腐食を抑え長期使用に耐える。
キリコを入れたホゾは表面をモザイク張りとしてデザインに優れた景観材とすることも可能，又同様な商品として、表面に切り込みのある煉瓦をこしらえ、切り込み部分にモザイクを張る、異なる素材の木材、レンガ双方のブロックであるが仕上げ化粧は、共通のモザイクで統一され、町で敷設されたとき、デザインに選択儀のある街路作りが可能、自然な素材でのコンビネーションにより、街を歩く人が楽しめるアートな舗道が出来る。
【０００６】
当発明の制作に関する技術的、理念的ベースは、知的障害者の自立と社会参加を目的として考案された石、レンガ、タイルなどの廃材利用の床モザイク。にある。エコ平板と命名して開発されたこの床モザイクは、これまで多くの官民工事において、公園、歩道、駅前広場などに採用されてきた。    製作技術は過去、知的障害者たちが習得、向上させ、その繊細な表現は、健常者に勝るとも劣らぬものと高く評価をうける。    また是までとかく三Ｋの職場での障害者が制作に参加することで、価格的にも既存の同等品を凌ぐ市場競争力を有している。
北関東大震災の災害に鑑み、東北方面の福祉作業所を新たに立ち上げ、当発明、すでに多くの実績を持ち、全国に展開しているエコ平板の製作作業所を後ろ盾の支援とし、障害者参加の災害復興、街作り及び災害地の障害者自立を推し進める。木材の加工からキリコ埋め込み、モザイク張り(モザイク埋め込み用へこみを持つ煉瓦のモザイク張りをふくめる)等を作業として取り込み、広大な面的広がりのある舗装工事に参入し、津波の残材処分、被災地での弱者の活動の場を創出する。
【発明の効果】
【０００７】
被災地で塩分を含み焼却が躊躇されている住宅の柱、梁などに使われていた木材を用い木材ブロックを作る、同時に木の腐敗防止として栃木県宇都宮市で産出する大谷石を加工切断した時に出る切りくず、キリコを防腐剤として使う〈キリコを水に溶かし生鮮野菜につけることで鮮度の維持の慣習は既にある〉。キリコは産地で処分法が余りなく、山積とされている現状からして、木材、キリコ、建設廃材のモザイクを活用したエコ商品である。
津波災害復旧以外での当発明の活用は木造住宅等の取り壊しで出る柱、梁、土台等の廃材処理、間伐材の利用があげられる。
製作は当初被災地福祉作業所にて開始、以後、今現在エコ平板製作に携わる全国の福祉作業所に輪を広げる。
工事受注は災害地官民を含め全国に広く販路を求める。  受注のための設計織り込みは当発明木材、既存のエコ平板、レンガ敷設工事を一体として、住宅の庭、駅前広場、公園等、特に硬いコンクリート二次製品と異なり、足に軟らかく老人，幼児のつどう場所に有益。    発明は全国を視野に入れた広い汎用、材料にコストを要せず、多大に入手可能な自然な素材であり、高い焼却費と共に無益に処分されている現状を有益に変える。
木質舗道ブロックの耐用年数経過後の処分は施工後、１５年を予測、その場合新しい物、又はエコ平板などの無機質なものへ差し替え可能。使用後廃材となり掘り起こされたキリコを含む木質は、長く風雪にさらされ塩分も無く，焼却も可、またはキリコともども粉砕し、酸性土をつくり、肥料として酸性土を好むブルーベリー栽培の土壌に使用可。
【発明を実施するための最良の形態】
【０００８】
以下、本発明を実施例をもって説明する。
例として、住宅用柱断面標準寸法は１０５角、又は１２０角である、  梁はおおむね１０５×１８０〜３００などの断面をもつ。
それぞれの断面に対し施工面の積載荷重を考慮、年輪に水平に、厚み６０ミリ〜９０ミリに切り落とし図１、図２の様な６面立法体を作る。    図３は木材に適当な寸法に符号の３ホゾ切り込みを入れた断面図である。  図５は切り込みの中に、大谷石キリコにセメントを混入し、符号５のバサモルタルをつくり突き固める、其の上に符号６のモルタルを載せ、仕上げとして符号１１のモザイクを張る、又はモルタル鏝仕上げとする。透水性バサモルタルには殺菌力の強い木酢、たけ酢を水と一緒に混入より殺菌性を高めるも可。    図４はモザイクが埋め込まれた木製歩道ブロックである。  図６は、くり抜きホゾを円形とした符号６のモルタル鏝仕上げ。
図５は、左から丸いくり抜きホゾモルタル仕上げ、四角いくり抜きホゾモザイク仕上げとし、併用して使用のエコ平板の三種類を同じ厚さとし、施工具体例を表す断面詳細図である。      符号５の半固形、吸水用空隙をもつ大谷石キリコは雨が降ると、木菅を通し木部全体に殺菌成分が浸透し、ホゾの中には水を蓄える、雨がやむとじょじょに乾燥。その時にキリコに含まれている殺菌成分が木部全体を被いバクテリヤ等の排除し木質の腐敗を防止する又,木酢、たけ酢など防腐材をキリコに混入することで長期な固形防腐防止剤をホゾの中に持つことにより、木材の耐久性を大幅に増すことが出来る。  木質ブロックの符号１２の路盤、符号１１の目地材は符号５の透水性キリコ入り、半固形で作られ、雨水浸透により木製ブロックの腐食を外観より保護する。同じく図５、図６の符号９のドリル穴には符号５のキリコが充填され腐食防止の雨水がブロックの木質に上下より十分浸透する為の発明。符号７、８はブロック、平板などを保持する為の敷きモルタルと砕石路盤。
【０００９】
使用できる木材の断面寸法を多種多様であるが、既に、多種多様な形状を持ち生産されている障害者のエコ平板同様、施工の際に組み合わせ可能、具体的な施工に於いては、材料の厚みのみが一定であれば、面的形状での支障は生じない。
モザイク張りへこみを持つ煉瓦に、モザイクを張りつけ木造ブロックを同様にデザインし、施工時に併用して使用し、単一材とせず、全体の配列を、より汎用性の高い商品とする、軟らかい木質ブロックは子どもが遊ぶ場所、老人ホーム等の歩行によりフイット。
【００１０】
木材の腐食をより強固に抑える為には符号３のホゾ穴を明けた段階で木質に燻製にかける、又表面をバーナで焦げ目をつけるなどの処理をほどこすことも可。
【００１１】
木材の伸縮に対する処理は符号５のキリコ挿入の前に符号１５水性糊を木部ホゾ内面に塗布（キリコト木部の間となる部分に塗りつけ）ノリの厚みが後日雨にあたり溶けて無くなる、木材収縮の遊びスペースとなる。                  
伸縮部分を作る為予め木材に水を吸わせ、後にモザイク張り仕上げをし、木材乾燥時には木の伸縮隙間を作る方法もある。
インターロック等の工場生産の製品作りと異なり,福祉作業所での等発明品の生産は、実に簡単な工具で製作されるが、種々の工程を自由に組み込むことが可能とし、結果として、工業製品に無い、複雑で、あじあいのある商品を完成。
【図面の簡単な説明】
【００１２】
【図１】住宅の柱で作る木製ブロック姿図
【図２】円形切り込みホゾとドリル穴姿図
【図３】住宅の梁を使用した場合姿図
【図４】設置断面図
【図５】平面図
【図６】断面図
【符号の説明】
【００１３】
１      柱を使用ブロック
２      梁使用ブロック
３      欠き込みホゾ
４      モザイクコンクリート平坂
５      大谷石キリコ入り半硬化モルタル
６      モルタル
７      敷きモルタル
８      採石路盤
９      ドリルくり抜き半硬化キリコ充填
１０    下地モルタルモルタル鏝仕上げ
１１    モルタル下地モザイク張り
１２    目地、下地、キリコ入りモルタル
１３    円形切り込みホゾ
１４    バーナー焼き、燻製を施した木材表面
１５    水性糊による木材収縮吸収スペース
１６  モザイクを張った、モザイク張りつけへこみを持つ煉瓦
【図１】
2013011115.tif 000003
【図２】
2013011115.tif 000004
【図３】
2013011115.tif 000005
【図４】
2013011115.tif 000006
【図５】
2013011115.tif 000007
【図６】
2013011115.tif 000008